(57)【要約】      （修正有）【課題】時刻情報を安定して受信できる計時装置を提供する。【解決手段】計時装置は、計時データを修正するための基準時刻情報を含み送信装置が送信する基準時刻信号を受信信号として受信する受信部と、受信部が受信した受信信号の強度を判定する信号強度判定部２０１と、受信信号の強度が所定の閾値以上であると信号強度判定部２０１が判定した送信装置を基準送信装置であると決定する基準送信装置決定部２０２と、基準送信装置決定部２０２が基準送信装置を決定した後には、基準送信装置からの受信信号を計時データの修正に用いると判定するとともに基準送信装置以外の送信装置からの受信信号を計時データの修正に用いないと判定する信号判定部２０３と、信号判定部２０３の判定結果が示す受信信号に含まれる基準時刻情報に基づいて、計時データを修正する修正部２０４と、修正部２０４が修正した計時データに基づき計時を行う計時部２０５と、を備える。【選択図】図５
2019158733.tif 000002
【特許請求の範囲】
【請求項１】
計時データを修正するための基準時刻情報を含み送信装置が送信する基準時刻信号を受信信号として受信する受信部と、
前記受信部が受信した前記受信信号の強度を判定する信号強度判定部と、
前記受信信号の強度が所定の閾値以上であると前記信号強度判定部が判定した前記送信装置を基準送信装置であると決定する基準送信装置決定部と、
前記基準送信装置決定部が前記基準送信装置を決定した後には、前記基準送信装置からの前記受信信号を前記計時データの修正に用いると判定するとともに前記基準送信装置以外の前記送信装置からの前記受信信号を前記計時データの修正に用いないと判定する信号判定部と、
前記信号判定部の判定結果が示す前記受信信号に含まれる前記基準時刻情報に基づいて、前記計時データを修正する修正部と、
前記修正部が修正した前記計時データに基づき計時を行う計時部と、
を備える計時装置。
【請求項２】
前記信号強度判定部は、前記受信部が動作を開始後に前記受信信号を初めて受信した場合に、前記受信部が受信した前記受信信号の強度を判定する
請求項１に記載の計時装置。
【請求項３】
前記基準送信装置決定部は、前記基準送信装置との接続が途絶えた場合、前記受信信号の強度が所定の閾値以上であると前記信号強度判定部が判定した前記送信装置を、基準送信装置であると新たに決定する
請求項１または請求項２に記載の計時装置。
【請求項４】
前記信号強度判定部は、前記受信部が前記受信信号を手動受信により受信した場合に、前記受信部が受信した前記受信信号の強度を判定する
請求項１から請求項３のいずれか一項に記載の計時装置。
【請求項５】
前記信号強度判定部が前記強度が所定値未満であると判定する場合、前記強度が所定値未満であることを表示する表示部をさらに備える
請求項１から請求項４のいずれか一項に記載の計時装置。
【請求項６】
請求項１から請求項５のいずれか一項に記載の計時装置を複数備える
計時システム。
【請求項７】
計時データを修正するための基準時刻情報を含み送信装置が送信する基準時刻信号を受信信号として受信する受信手順と、
前記受信手順において受信された前記受信信号の強度を判定する信号強度判定手順と、
前記受信信号の強度が所定の閾値以上であると前記信号強度判定手順において判定された前記送信装置を基準送信装置であると決定する基準送信装置決定手順と、
前記基準送信装置決定手順において前記基準送信装置が決定された後には、前記基準送信装置からの前記受信信号を前記計時データの修正に用いると判定するとともに前記基準送信装置以外の前記送信装置からの前記受信信号を前記計時データの修正に用いないと判定する信号判定手順と、
前記信号判定手順の判定結果が示す前記受信信号に含まれる前記基準時刻情報に基づいて、前記計時データを修正する修正手順と、
前記修正手順において修正された前記計時データに基づき計時を行う計時手順と、
を有する計時方法。
【発明の詳細な説明】
【技術分野】
【０００１】
本発明は、計時装置、計時システム、及び計時方法に関する。
【背景技術】
【０００２】
複数の計時装置を階層化して、上位階層の計時装置から一段下位階層の計時装置へ順次リレー式に時刻情報を送信して、各階層の計時装置の時刻修正を行なうことが可能な計時システムが知られている。このような計時システムでは、一方向通信により、時刻情報を上位階層の計時装置から下位階層の計時装置に伝えるものである。この一方向通信には、例えば、近距離無線通信が用いられる。下位階層の計時装置は、送信データに時刻情報とともに含まれる送信タイミング情報を参照して、上位階層の計時装置から以降において送信データを受信するための自動受信タイミングを決定する。
このような計時システムでは、計時装置同士をペアリングする双方向通信に比べて容易にネットワークの構築が可能である。例えば、計時装置同士の間に適切なリンク関係を自動的に構築可能な計時装置が知られている（特許文献１）。
【先行技術文献】
【特許文献】
【０００３】
【特許文献１】特開２００５−２５７４８４号公報
【発明の概要】
【発明が解決しようとする課題】
【０００４】
上述したような計時システムでは、計時装置同士の通信に電波が用いられる。しかしながら、一般に電波の電界強度は干渉や混信により変動する。そのため、上述したような計時システムでは、計時装置を設置する際に受信感度の下限において偶発的に、上位階層の計時装置からの時刻情報の受信に成功してしまう場合がある。受信感度の下限において偶発的に受信に成功してしまうと、以降の定期自動受信において、受信電波の電界強度の変動により時刻情報を安定して受信ができなくなるという課題があった。
特に、設置に手間のかかる計時装置では、一度設置すると移動が容易ではないため、上位階層の計時装置との通信距離を変更することが容易ではない。例えば、掛時計や置時計では、腕時計と異なり一度設置すると上位階層の時計との通信距離が決まってしまう。そのため掛時計や置時計では、自動受信ができなかった場合には、ユーザがより上位階層の計時装置に近い場所へ設置し直すなど手間が掛かっていた。
【０００５】
本発明は上記の点に鑑みてなされたものであり、時刻情報を安定して受信できる計時装置、計時システム、及び計時方法を提供する。
【課題を解決するための手段】
【０００６】
本発明は上記の課題を解決するためになされたものであり、本発明の一態様は、計時データを修正するための基準時刻情報を含み送信装置が送信する基準時刻信号を受信信号として受信する受信部と、前記受信部が受信した前記受信信号の強度を判定する信号強度判定部と、前記受信信号の強度が所定の閾値以上であると前記信号強度判定部が判定した前記送信装置を基準送信装置であると決定する基準送信装置決定部と、前記基準送信装置決定部が前記基準送信装置を決定した後には、前記基準送信装置からの前記受信信号を前記計時データの修正に用いると判定するとともに前記基準送信装置以外の前記送信装置からの前記受信信号を前記計時データの修正に用いないと判定する信号判定部と、前記信号判定部の判定結果が示す前記受信信号に含まれる前記基準時刻情報に基づいて、前記計時データを修正する修正部と、前記修正部が修正した前記計時データに基づき計時を行う計時部と、を備える計時装置である。
【０００７】
また、本発明の一態様は、上記の計時装置において、前記信号強度判定部は、前記受信部が動作を開始後に前記受信信号を初めて受信した場合に、前記受信部が受信した前記受信信号の強度を判定する。
【０００８】
また、本発明の一態様は、上記の計時装置において、前記基準送信装置決定部は、前記基準送信装置との接続が途絶えた場合、前記受信信号の強度が所定の閾値以上であると前記信号強度判定部が判定した前記送信装置を、基準送信装置であると新たに決定する。
【０００９】
また、本発明の一態様は、上記の計時装置において、前記信号強度判定部は、前記受信部が前記受信信号を手動受信により受信した場合に、前記受信部が受信した前記受信信号の強度を判定する。
【００１０】
また、本発明の一態様は、上記の計時装置において、前記信号強度判定部が前記強度が所定値未満であると判定する場合、前記強度が所定値未満であることを表示する表示部をさらに備える。
【００１１】
また、本発明の一態様は、計時データを修正するための基準時刻情報を含み送信装置が送信する基準時刻信号を受信信号として受信する受信手順と、前記受信手順において受信された前記受信信号の強度を判定する信号強度判定手順と、前記受信信号の強度が所定の閾値以上であると前記信号強度判定手順において判定された前記送信装置を基準送信装置であると決定する基準送信装置決定手順と、前記基準送信装置決定手順において前記基準送信装置が決定された後には、前記基準送信装置からの前記受信信号を前記計時データの修正に用いると判定するとともに前記基準送信装置以外の前記送信装置からの前記受信信号を前記計時データの修正に用いないと判定する信号判定手順と、前記信号判定手順の判定結果が示す前記受信信号に含まれる前記基準時刻情報に基づいて、前記計時データを修正する修正手順と、前記修正手順において修正された前記計時データに基づき計時を行う計時手順と、を有する計時方法である。
【発明の効果】
【００１２】
本発明によれば、時刻情報を安定して受信できる。
【図面の簡単な説明】
【００１３】
【図１】本発明の第１の実施形態に係る計時システムの構成の一例を示す図である。
【図２】本発明の第１の実施形態に係る基準時刻情報及び通信チャネルの一例を示す図である。
【図３】本発明の第１の実施形態に係る計時装置の構成の一例を示す図である。
【図４】本発明の第１の実施形態に係る表示装置の表示パネルＰの表示の一例を示す図である。
【図５】本発明の第１の実施形態に係る制御部の構成の一例を示す図である。
【図６】本発明の第１の実施形態に係る時刻情報受信のための前処理の一例を示す図である。
【図７】本発明の第１の実施形態に係る親機モードにおける長波受信処理の一例を示す図である。
【図８】本発明の第１の実施形態に係る親機モードにおける近距離通信処理の一例を示す図である。
【図９】本発明の第１の実施形態に係る子機モードにおける近距離受信処理の一例を示す図である。
【図１０】本発明の第１の実施形態に係る通常時の計時処理の一例を示す図である。
【図１１】本発明の第１の実施形態に係る子機の通常時の時刻修正のための処理の一例を示す図である。
【図１２】本発明の第１の実施形態に係るリルート処理の一例を示す図である。
【図１３】本発明の第１の実施形態に係る表示制御処理の一例を示す図である。
【発明を実施するための形態】
【００１４】
（第１の実施形態）
以下、図面を参照しながら本発明の実施形態について詳しく説明する。図１は、本実施形態に係る計時システムＳの構成の一例を示す図である。計時システムＳでは、複数の計時装置Ｃ１〜Ｃ６を備え、それら計時装置Ｃ１〜Ｃ６がツリー型のネットワークを構成している。
以下では、計時装置Ｃ１〜Ｃ６のうちの１つを計時装置Ｃと呼ぶことがある。
【００１５】
このネットワークにはレイヤにより示される階層があり、最上位レイヤの計時装置Ｃが時刻情報を取得して、上位レイヤの計時装置Ｃから下位レイヤの計時装置Ｃへと時刻情報が順次送信される。ここで最上位レイヤの計時装置Ｃが取得する時刻情報とは、例えば、標準電波に含まれる基準となる時刻を示す情報である。各レイヤの計時装置Ｃは、上位レイヤの計時装置Ｃから時刻情報を受信すると、自装置の時刻を修正する。これにより、計時システムＳを構成する計時装置Ｃ１〜Ｃ６は正確な時刻を維持する。
【００１６】
計時システムＳに備えられる計時装置Ｃ１〜Ｃ６とは、例えば、オフィスビルや工場などに設置される電波時計である。電波時計では、設置場所によっては、標準電波を受信できない場合がある。
そのため計時システムＳでは、計時装置Ｃ１〜Ｃ６は、標準電波を受信する親機と、親機から基準時刻信号を受信する子機とに分けられる。ここで基準時刻信号とは、時刻修正のための時刻情報である基準時刻情報Ｂを含む信号である。親機となる計時装置Ｃ１は、標準電波の受信しやすい窓際などに設置される。一方、子機となる計時装置Ｃ２及び計時装置Ｃ３は、建物の奥側に設定され、親機である計時装置Ｃ１から基準時刻信号を受信する。
【００１７】
計時システムＳでは、計時装置Ｃは、上位レイヤの計時装置Ｃから基準時刻信号を受信すると、以降も所定の受信タイミングにおいて、この上位レイヤの計時装置Ｃから基準時刻信号を受信する。計時装置Ｃに基準時刻信号を送信する上位レイヤの送信装置を、基準送信装置と呼ぶ。
計時システムＳでは、計時装置Ｃは、受信した基準時刻信号の強度が所定の閾値以上である場合に、この基準時刻信号を送信した送信装置を基準送信装置とすることにより、時刻情報を安定して受信できる。
【００１８】
計時システムＳでは、送信時は近距離無線通信における一方向通信を用いている。この近距離無線通信とは、一例としてビーエルイー（Ｂｌｕｅｔｏｏｔｈ（登録商標）  Ｌｏｗ  Ｅｎｅｒｇｙ：ＢＬＥ）である。送信データにはネットワークの階層を示すレイヤ情報が含まれる。計時装置Ｃ２〜Ｃ６は、初期受信時に受信したレイヤの値に１を加えて自装置のレイヤとする。計時装置Ｃ２〜Ｃ６は、以降、自装置のレイヤの値より１小さいレイヤの値を有する送信データのみを取得し、ツリー型のネットワークが構築される。
【００１９】
計時システムＳでは、一方向通信を用いることにより近距離通信におけるペアリングや、一般的なネットワークにおけるＩＰアドレス設定などの手間を省き、それらに比べて容易に親子時計システムを実現できる。
【００２０】
親機である計時装置Ｃ１は、長波受信によりＪＪＹ（登録商標）等の標準電波または衛星電波（ＵＴＣ）を受信することにより、時刻情報を取得する。または、親機である計時装置Ｃ１は、近距離無線通信によりスマートフォンから時刻情報を取得する。計時装置Ｃ１がいずれの情報源から時刻情報を取得するかは、ユーザにより設定される。また、計時システムＳにおいて計時装置Ｃが親機と子機とのいずれとして機能するかもユーザにより設定される。
【００２１】
計時装置Ｃ１は、取得した時刻情報に基づいて、自装置の計時データを修正する。計時装置Ｃ１は、修正した計時データに基づき基準時刻情報Ｂを生成する。計時装置Ｃ１は、生成した基準時刻情報Ｂを含む基準時刻信号を、下位レイヤの計時装置Ｃ２及び計時装置Ｃ３に送信チャネル０により送信する。
【００２２】
ここで図２を参照し、基準時刻情報Ｂ及び通信チャネルについて説明する。
図２は、本実施形態に係る基準時刻情報Ｂ及び通信チャネルの一例を示す図である。基準時刻情報Ｂは、レイヤ情報Ｂ１、送信チャネル情報Ｂ２、時刻情報Ｂ３、及び局情報Ｂ４を含む。
【００２３】
レイヤ情報Ｂ１は、基準時刻情報Ｂを送信した計時装置Ｃが位置するレイヤを特定するための情報である。レイヤ情報Ｂ１は、例えば、０〜９９の範囲をとる。
【００２４】
送信チャネル情報Ｂ２は、基準時刻情報Ｂが送信される通信チャネルを特定する情報である。通信チャネルが、例えば、６０チャネル用意されている場合には、送信チャネル情報Ｂ２には、例えば、０〜５９の値のうち通信チャネルに対応するものが設定される。
【００２５】
時刻情報Ｂ３は、年・月・日・時・分・秒・曜日等の時刻を示す情報である。
局情報Ｂ４は、時刻情報Ｂ３がどの情報源に基づいて修正されたのかを示す情報である。局情報Ｂ４は、例えば、ＵＴＣ、ＪＪＹ（４０ｋＨｚ；東・福島送信所）、ＪＪＹ（６０ｋＨｚ，西・九州送信所）、スマートフォン、及び手動調整時の別を示す情報である。
【００２６】
図１に戻り、計時システムＳの説明を続ける。
計時システムＳでは、混信を防ぐために１０秒毎のタイムスロットＴＳを設けてレイヤ、及び送信ＣＨから基準時刻情報Ｂの送信タイミングを決定し、複数の送信装置間において送信タイミングが重なることを防いでいる。ここで送信ＣＨは、周波数ではなく時分割したタイムスロットを意味し、番号０〜５９からランダムに設定される。送信タイミングの一例は、式（１）により表される。
【００２７】
【数１】
2019158733.tif 000003
【００２８】
周波数ホッピングにより混信を防ぐＢＬＥの双方向通信と異なり、ＢＬＥの一方向通信では、送信装置であるブロードキャスターが送信データであるアドバタイズメントパケットを送信する際は３つの周波数を順次切替えて送信するため、タイミングが重なると混信する可能性が高くなる。計時システムＳでは、式（１）により送信タイミングが重なることを防いでいる。
【００２９】
レイヤの値が１の計時装置Ｃ２は、レイヤの値が０の計時装置Ｃ１から基準時刻情報Ｂを受信する。計時装置Ｃ２は、基準時刻情報Ｂに含まれる時刻情報Ｂ３に基づいて自装置の計時データを修正する。計時装置Ｃ２は、修正した計時データに基づき基準時刻情報Ｂを生成する。計時装置Ｃ２は、生成した基準時刻情報Ｂを、レイヤの値が２の計時装置Ｃ４に送信する。ここで計時装置Ｃ２は、上位レイヤの計時装置Ｃ１が用いている送信チャネル０とは異なる送信チャネル３を送信に用いる。
【００３０】
以下、同様にして、各レイヤの計時装置Ｃは、レイヤの値が１だけ小さいレイヤの計時装置Ｃから基準時刻情報Ｂを受信し、受信した基準時刻情報Ｂに含まれる時刻情報Ｂ３に基づいて自装置の計時データを修正する。計時装置Ｃは、修正した計時データに基づき基準時刻情報Ｂを生成する。計時装置Ｃは、レイヤの値が１だけ小さい上位レイヤの計時装置Ｃが用いている送信チャネルとは異なる送信チャネルを用いて、生成した基準時刻情報Ｂを、レイヤの値が１だけ大きい下位レイヤの計時装置Ｃに送信する。
【００３１】
なお、計時システムＳには、計時装置Ｃ以外に、基準時刻情報Ｂを送信する機能を有しない計時装置も必要に応じて配置されてよい。
【００３２】
次に、図３を参照し、計時装置Ｃの構成について説明する。
図３は、本実施形態に係る計時装置Ｃの構成の一例を示す図である。計時装置Ｃは、長波受信回路１と、電源回路２と、コネクタ３と、主装置４と、表示装置５とを備える。
【００３３】
長波受信回路１は、時刻情報を含む標準電波ＪＪＹまたは衛星電波（ＵＴＣ）を受信・復調し、ディジタル受信情報を、コネクタ３を介して主装置４に出力する。
電源回路２は、ＡＣ（交流）アダプタ接続プラグ２１と、バッテリ２２とを備え、ＡＣアダプタまたはバッテリ２２からの直流電力を、コネクタ３を介して主装置４に供給する。
【００３４】
表示装置５は、セグメント構成の表示パネルＰ（例えば、液晶表示パネル）を備え、時刻情報、電波送受信状況、等の情報を表示する。
【００３５】
ここで図４を参照し、表示装置５の表示パネルＰの表示について説明する。
図４は、本実施形態に係る表示装置５の表示パネルＰの表示の一例を示す図である。表示パネルＰは、午前表示セグメントＰ１、午後表示セグメントＰ２、ＴＬマークセグメントＰ３、時間表示セグメントＰ４、区切りセグメントＰ５、分表示セグメントＰ６、秒表示セグメントＰ７、親機子機モードマークセグメントＰ８、情報源マークセグメントＰ９、ＢＬＥマークセグメントＰ１０、アンテナマークセグメントＰ１１、受信レベルセグメントＰ１２、バッテリマークセグメントＰ１３、月表示セグメントＰ１４、日表示セグメントＰ１５、曜日表示セグメントＰ１６を備える。
【００３６】
午前表示セグメントＰ１、及び午後表示セグメントＰ２は、時刻が１２時間表示の場合に、午前と午後の別を表示する。
ＴＬマークセグメントＰ３は、上位レイヤの計時装置Ｃから基準時刻信号を受信できていることなどを表示するための表示セグメントである。また、このＴＬマークセグメントＰ３の表示態様の切り替えにより、受信中であること、送信中であることなどを表示する。
時間表示セグメントＰ４と、区切りセグメントＰ５と、分表示セグメントＰ６と、秒表示セグメントＰ７とは、現在時刻を「時：分秒」の形式において表示する。
【００３７】
親機子機モードマークセグメントＰ８は、計時装置Ｃが親機モードに設定されているか子機モードに設定されているかを表示する。計時装置Ｃが親機モードに設定されている場合、親機子機モードマークセグメントＰ８の「Ｐ」の文字が点灯する。一方、計時装置Ｃが子機モードに設定されている場合、親機子機モードマークセグメントＰ８の「Ｃ」の文字が点灯する。
【００３８】
情報源マークセグメントＰ９は、標準電波信号を所定時間以内に受信しているか否か、受信しているとすれば、情報源が西局、東局、及びＵＴＣのいずれであるかを表示する。例えば、計時装置Ｃが２４時間以内に、ＪＪＹ６０ｋＨｚを受信して時刻修正に使用している場合には、Ｗマークセグメントが点灯する。計時装置Ｃが２４時間以内に、ＪＪＹ４０ｋＨｚを受信して時刻修正に使用している場合には、Ｅマークセグメントが点灯する。計時装置Ｃが２４時間以内に、ＵＴＣを受信して時刻修正に使用している場合には、Ｕマークセグメントが点灯する。
【００３９】
ＢＬＥマークセグメントＰ１０は、スマートフォンからＢＬＥなどの近距離無線通信により時刻情報を受信しているか否かを表示する。
アンテナマークセグメントＰ１１と受信レベルセグメントＰ１２とは、受信電波の強度
を表示するためのセグメントである。
バッテリマークセグメントＰ１３は、バッテリ２２の電圧状態を表示するためのセグメントである。
月表示セグメントＰ１４と、日表示セグメントＰ１５と、曜日表示セグメントＰ１６と
は、月日と曜日とを表示するためのセグメントである。
【００４０】
図３に戻って、計時装置Ｃの構成の説明を続ける。
主装置４は、電圧デテクタ６と、レギュレータ７と、スイッチ群８と、ＲＦ（Ｒａｄｉｏ  Ｆｒｅｑｕｅｎｃｙ；高周波）回路９と、水晶振動子１０と、制御部１１とを備える。
【００４１】
電圧デテクタ６は、電源回路２の出力電圧を検出し、検出値を制御部１１に供給する。
レギュレータ７は、電源回路２から供給される電圧を安定化して、主装置４内に供給する。
【００４２】
スイッチ群８は、ＲＥＳＥＴスイッチ、ＲＥＣＶスイッチ、及びＭＯＤＥスイッチ、などの複数のスイッチを備える。スイッチ群８は、ユーザの操作によるスイッチのオン／オフ、オン時間の長さなどに応じて、様々な情報や指示を制御部１１に供給する。
【００４３】
ＲＥＳＥＴスイッチが操作されると、制御部１１は初期状態となる。
ＲＥＣＶスイッチが操作されると、所定時間、受信信号を受信する手動受信処理が実行される。
ＭＯＤＥスイッチが操作されると、長波を受信する長波受信親機モードと、スマートフォンからＢＬＥによる受信により時刻情報を取得するＢＬＥ親機モードと、子機モードとの３つのモードが切り替わる。なお、親機モードと子機モードとの２つのモードを切り替えて、親機モードにおいて長波受信とＢＬＥ受信とのいずれを用いて時刻情報を取得するかは、自動で選択されてもよい。
【００４４】
ＲＦ回路９は、制御部１１の制御下に、上位レイヤの計時装置Ｃが送信する基準時刻信号を受信信号として受信する。ＲＦ回路９は、受信した基準時刻信号を復調して制御部１１に出力する。また、ＲＦ回路９は、受信チャネルとは異なる送信チャネルを使用して基準時刻情報Ｂを下位レイヤの計時装置Ｃに送信する。
水晶振動子１０は、所定の発振周波数で発振し、発振信号を制御部１１に供給する。
【００４５】
制御部１１は、計時装置Ｃの動作全体を制御する。制御部１１は、水晶振動子１０の発振信号に基づく計時動作、長波受信回路１またはＲＦ回路９の基準受信信号（標準電波信号または基準時刻信号）の強度の判定、基準受信信号を受信する基準送信装置の決定、受信した基準受信信号を計時データの修正に用いるか否かの判定、基準送信装置から受信した基準受信信号に基づく時刻データの修正動作、修正した時刻データに基づく基準時刻情報のＲＦ回路９を介した送信、表示装置５への種々の情報の表示制御、スイッチ群８の操作入力に応答する処理などを行う。
【００４６】
ここで図５を参照し、制御部１１の構成について説明する。
図５は、本実施形態に係る制御部１１の構成の一例を示す図である。制御部１１は、プロセッサ２０と、計時データ取得部３０と、エンコーダ４０と、デコーダ５０と、信号強度取得部６０と、キー入力部７０と、電圧データ入力部８０と、レジスタ群９０とを備える。
【００４７】
プロセッサ２０は、信号強度判定部２０１と、基準送信装置決定部２０２と、信号判定部２０３と、修正部２０４と、計時部２０５と、親機子機モード制御部２０６と、通信制御部２０７と、表示制御部２０８とを備える。プロセッサ２０は、信号強度判定部２０１と、基準送信装置決定部２０２と、信号判定部２０３と、修正部２０４と、計時部２０５と、親機子機モード制御部２０６と、通信制御部２０７と、表示制御部２０８とにそれぞれ処理を行わせる。
プロセッサ２０は、ＣＰＵ、ＲＡＭ、及びＲＯＭなどにより実現される。
【００４８】
信号強度判定部２０１は、ＲＦ回路９が受信した受信信号の強度を判定する。
基準送信装置決定部２０２は、ＲＦ回路９が受信した受信信号の強度が所定の閾値以上であると信号強度判定部２０１が判定した計時装置Ｃを基準送信装置であると決定する。
信号判定部２０３は、ＲＦ回路９が受信した受信信号を計時データの修正に用いるか否かを判定する。
【００４９】
修正部２０４は、信号判定部２０３の判定結果が示す受信信号に含まれる基準時刻情報Ｂに基づいて、計時データを修正する。
計時部２０５は、修正部２０４が修正した計時データに基づき計時を行う。
【００５０】
通信制御部２０７は、ＲＦ回路９による受信信号の受信、及びＲＦ回路９による基準時刻信号の送信を制御する。ここで通信制御部２０７は、ＲＦ回路９を介して、上位レイヤの計時装置Ｃが送信する基準時刻信号を受信信号として受信する。
表示制御部２０８は、表示装置５への種々の情報の表示制御を行う。
【００５１】
計時データ取得部３０は、水晶振動子１０からの発振信号をカウントして、一定時間毎に計時データを取得し、プロセッサ２０に計時割込信号を出力する。ここで一定時間とは、例えば、１００ｍｓである。
【００５２】
エンコーダ４０は、プロセッサ２０から供給された送信対象のデータ、例えば、基準時刻情報Ｂをエンコードしてベースバンド信号を生成し、ＲＦ回路９に供給する。
デコーダ５０は、長波受信回路１及びＲＦ回路９が受信した受信信号をデコードして、例えば、標準時刻情報や基準時刻情報Ｂのベースバンド信号を復調し、プロセッサ２０に供給する。
【００５３】
信号強度取得部６０は、ＲＦ回路９が受信した受信信号の強度を取得する。ここで受信信号の強度とは、受信信号強度（Ｒｅｃｅｉｖｅｄ  Ｓｉｇｎａｌ  Ｓｔｒｅｎｇｔｈ  Ｉｎｄｉｃａｔｏｒ：ＲＳＳＩ）である。
【００５４】
キー入力部７０は、スイッチ群８の操作に従って入力されるオン・オフ信号をデコードして、プロセッサ２０に供給する。
電圧データ入力部８０は、電圧デテクタ６が検出した電圧値をプロセッサ２０に出力する。
【００５５】
レジスタ群９０は、親機子機モードレジスタ９０１と、計時データレジスタ９０２と、受信チャネルレジスタ９０３と、送信チャネルレジスタ９０４と、レイヤレジスタ９０５と、連続受信失敗回数レジスタ９０６とを備える。
【００５６】
親機子機モードレジスタ９０１は、親機子機モード設定情報を記憶する。親機子機モード設定情報は、計時装置Ｃが長波受信親機モードと、ＢＬＥ親機モードと、子機モードとのいずれに設定されているかを示す。
計時データレジスタ９０２は、計時装置Ｃが計時している現在時刻を示す情報を計時データとして記憶する。ここで現在時刻を示す情報とは、月・日・時・分・秒・曜日を示す情報である。
【００５７】
受信チャネルレジスタ９０３は、上位レイヤの計時装置Ｃから基準時刻情報を受信する通信チャネルを指定する受信チャネル指定データ（例えば、前述の０〜５９のいずれかの値）及び受信したデータ等を記憶する。なお、上位レイヤの計時装置Ｃが存在しないレイヤの値が０の計時装置Ｃ１の場合には、標準時刻などの時刻の種類や、時刻情報を取得した、情報源を示す情報を記憶する。ここで時刻情報を取得した、情報源を示す情報とは、標準電波の種類（ＵＴＣ、ＪＪＹ東送信局、ＪＪＹ西送信局等）やスマートフォンを示す情報である。
【００５８】
送信チャネルレジスタ９０４は、下位レイヤの計時装置Ｃに基準時刻情報Ｂを送信する送信チャネルを指定する送信チャネル指定データ（例えば、前述の０〜５９のいずれかの値）を記憶する。送信チャネルレジスタ９０４に記憶されているチャネル指定データは、基準時刻情報Ｂ内の送信チャネル情報Ｂ２として送信される。
【００５９】
レイヤレジスタ９０５は、計時装置Ｃが、複数のレイヤのどのレイヤに位置するかを示すレイヤデータ（例えば、前述の０〜９９のいずれかの値）を記憶する。
【００６０】
連続受信失敗回数レジスタ９０６は、上位レイヤの計時装置Ｃからの基準時刻情報Ｂを連続して受信できなかった回数である連続受信失敗回数を記憶する。なお、上位レイヤの計時装置Ｃが存在しないレイヤの値が０の計時装置Ｃ１の場合には、標準電波信号を連続して受信できなかった回数を記憶する。
【００６１】
（配置）
ユーザは、計時システムＳを構成する複数の計時装置Ｃを、ＲＦ回路９による通信が可能な距離範囲において配置し、電源を投入する。
【００６２】
（初期動作）
計時装置Ｃは、電源が投入されると他の初期化動作と共に時刻情報を受信するための前処理を開始する。この前処理は、スイッチ群８のＲＥＳＥＴスイッチが操作され制御部１１が初期状態となった場合にも開始される。
【００６３】
図６は、本実施形態に係る時刻情報受信のための前処理の一例を示す図である。
ステップＳ１００：親機子機モード制御部２０６は、計時装置Ｃが親機モードに設定されているか否かを判定する。ここで親機モードは、長波受信親機モードと、ＢＬＥ親機モードとのいずれかである。
【００６４】
親機子機モード制御部２０６は、親機子機モードレジスタ９０１から、親機子機モード設定情報を取得する。親機子機モード制御部２０６が、取得した親機子機モード設定情報が、長波受信親機モードと、ＢＬＥ親機モードとのいずれかを示すと判定する場合（ステップＳ１００；ＹＥＳ）、プロセッサ２０はステップＳ１０１の処理を実行する。
【００６５】
一方、親機子機モード制御部２０６が、取得した親機子機モード設定情報が、長波受信親機モードと、ＢＬＥ親機モードとのいずれも示さないと判定する場合（ステップＳ１００；ＮＯ）、プロセッサ２０はステップＳ１０４の子機モード近距離受信処理を実行する。子機モード近距離受信処理については、図９を参照し後述する。
【００６６】
ステップＳ１００において、親機子機モード制御部２０６は、表示制御部２０８に親機子機モード設定情報を供給する。表示制御部２０８は、親機子機モード制御部２０６が供給する親機子機モード設定情報に応じて、表示装置５に親機子機モードマークセグメントＰ８を用いて、計時装置Ｃが親機モードに設定されているか、子機モードに設定されているかを表示させる。
【００６７】
ステップＳ１０１：親機子機モード制御部２０６は、計時装置Ｃが長波受信親機モードに設定されているか否かを判定する。親機子機モード制御部２０６が、親機子機モード設定情報が、長波受信親機モードを示すと判定する場合（ステップＳ１０１；ＹＥＳ）、プロセッサ２０はステップＳ１０２の長波受信処理を実行する。長波受信処理については、図７を参照し後述する。
一方、親機子機モード制御部２０６が、親機子機モード設定情報が、長波受信親機モードを示さないと判定する場合（ステップＳ１０１；ＮＯ）、プロセッサ２０はステップＳ１０３の親機モード近距離通信処理を実行する。親機モード近距離通信処理については、図７を参照し後述する。
【００６８】
図７は、本実施形態に係る親機モードにおける長波受信処理の一例を示す図である。図７に示す処理は、図６に示したステップＳ１０２の長波受信処理である。
ステップＳ２００：通信制御部２０７は、長波受信回路１を制御して、ＪＪＹの九州送信所から６０ｋＨｚにおいて放送されている標準電波を受信させる。ここで所定時間とは、例えば３０秒間である。通信制御部２０７は、長波受信回路１が受信した受信信号を、デコーダ５０にデコードさせ、標準時刻情報を取得する。
【００６９】
ステップＳ２０１：通信制御部２０７は、長波受信回路１を制御して、ＪＪＹの福島送信所から４０ｋＨｚにおいて放送されている標準電波を受信させる。ここで所定時間とは、例えば３０秒間である。通信制御部２０７は、長波受信回路１が受信した受信信号を、デコーダ５０にデコードさせ、標準時刻情報を取得する。
【００７０】
ステップＳ２０２：通信制御部２０７は、長波受信回路１が６０ｋＨｚと４０ｋＨの両方の標準電波を受信でき、復号信号を得ることができたと判定する場合（ステップＳ２０２；ＹＥＳ）、ステップＳ２０８の処理を実行する。一方、通信制御部２０７は、長波受信回路１が６０ｋＨｚと４０ｋＨの両方の標準電波を受信でなかったと判定する場合（ステップＳ２０２；ＮＯ）、ステップＳ２０３の処理を実行する。
【００７１】
ステップＳ２０３：通信制御部２０７は、長波受信回路１が６０ｋＨｚの標準電波を受信できたと判定する場合には（ステップＳ２０３；ＹＥＳ）、ステップＳ２０９の処理を実行する。一方、通信制御部２０７は、長波受信回路１が６０ｋＨｚの標準電波を受信できなかったと判定する場合には（ステップＳ２０３；ＮＯ）、ステップＳ２０４の処理を実行する。
【００７２】
ステップＳ２０４：また、通信制御部２０７は、長波受信回路１が４０ｋＨｚの標準電波を受信できたと判定する場合には（ステップＳ２０４；ＹＥＳ）、ステップＳ２１０の処理を実行する。一方、通信制御部２０７は、長波受信回路１が４０ｋＨｚの標準電波を受信できなかったと判定する場合には（ステップＳ２０４；ＮＯ）、ステップＳ２０５の処理を実行する。
【００７３】
ステップＳ２０５：通信制御部２０７は、長波受信回路１が標準電波を受信できなかった場合、長波受信回路１にＧＰＳ衛星等からのＵＴＣを受信させる。
ステップＳ２０６：通信制御部２０７は、長波受信回路１がＵＴＣを受信できたか否かを判定する。通信制御部２０７が、長波受信回路１がＵＴＣを受信できたと判定する場合（ステップＳ２０６；ＹＥＳ）、プロセッサ２０はステップＳ２１１の処理を実行する。
一方、通信制御部２０７が、長波受信回路１がＵＴＣを受信できなかったと判定する場合（ステップＳ２０６；ＮＯ）、プロセッサ２０はステップＳ２０７の処理を実行する。
【００７４】
ステップＳ２０７：通信制御部２０７は、長波受信失敗処理を実行する。通信制御部２０７は、表示制御部２０８に長波受信に失敗したことを示す信号を供給する。
表示制御部２０８は、通信制御部２０７が供給する信号に基づいて、表示装置５にアンテナマークセグメントＰ１１と受信レベルセグメントＰ１２とを用いて、長波受信に失敗したことを表示させる。ここで表示装置５は、例えば、アンテナマークセグメントＰ１１を点滅させ、受信レベルセグメントＰ１２を消灯させる。
【００７５】
ステップＳ２０８：通信制御部２０７は、より安定して受信が可能な一方の送信所を選択する。その後、通信制御部２０７は、ステップＳ２１１の処理を実行する。
【００７６】
ステップＳ２０９：通信制御部２０７は、西送信所（九州）を選択する。その後、通信制御部２０７は、ステップＳ２１１の処理を実行する。
【００７７】
ステップＳ２１０：通信制御部２０７は、東送信所（福島）を選択する。その後、通信制御部２０７は、ステップＳ２１１の処理を実行する。
【００７８】
ステップＳ２１１：プロセッサ２０は、長波受信初期設定処理を実行する。
計時部２０５は、計時データレジスタ９０２に受信した標準電波に基づく計時データをセットする。
通信制御部２０７は、受信チャネルレジスタ９０３に時刻種類に標準電波であることと東西送信所の別を示す情報を設定する。また、通信制御部２０７は、レイヤレジスタ９０５にレイヤの値として０を設定する。通信制御部２０７は、連続受信失敗回数レジスタ９０６に記憶される連続受信失敗回数をリセットする。
【００７９】
また、表示制御部２０８は、表示装置５に、計時データレジスタ９０２に記憶されている計時データ、受信状態、バッテリ状態を示す情報を表示させる。ここ表示装置５の表示パネルＰの表示内容には、例えば、午前表示セグメントＰ１、及び午後表示セグメントＰ２による午前・午後の表示、時間表示セグメントＰ４、区切りセグメントＰ５、分表示セグメントＰ６、秒表示セグメントＰ７、月表示セグメントＰ１４、日表示セグメントＰ１５、及び曜日表示セグメントＰ１６による年月日時分秒曜日の表示、情報源マークセグメントＰ９による標準電波の情報源の表示、受信レベルセグメントＰ１２による標準電波の受信状況の表示、及び電圧データ入力部８０を介して取り込んだ電圧デテクタ６の検出値に基づいた電源状態の表示、などを含む。
【００８０】
図８は、本実施形態に係る親機モードにおける近距離通信処理の一例を示す図である。図８に示す処理は、図６に示したステップＳ１０３の親機モード近距離通信処理である。
【００８１】
ステップＳ３００：通信制御部２０７は、ＲＦ回路９を起動する。
ステップＳ３０１：通信制御部２０７は、ＲＦ回路９に、スマートフォンと接続するためのアドバタイズ信号を間欠的に所定時間送信させる。ここで所定時間とは、例えば、３０秒間である。
【００８２】
ステップＳ３０２：通信制御部２０７は、ＲＦ回路９がスマートフォンと接続し近距離時刻信号を受信したか否かを判定する。通信制御部２０７が、ＲＦ回路９が近距離時刻信号を受信したと判定する場合（ステップＳ３０２；ＹＥＳ）、プロセッサ２０はステップＳ３０４の処理を実行する。一方、通信制御部２０７が、ＲＦ回路９が近距離時刻信号を受信していないと判定する場合（ステップＳ３０２；ＮＯ）、プロセッサ２０はステップＳ３０３の処理を実行する。
【００８３】
ステップＳ３０３：通信制御部２０７は、近距離通信失敗処理を実行する。通信制御部２０７は、表示制御部２０８に近距離通信に失敗したことを示す信号を供給する。
表示制御部２０８は、通信制御部２０７が供給する信号に基づいて、表示装置５にＢＬＥマークセグメントＰ１０と、アンテナマークセグメントＰ１１と受信レベルセグメントＰ１２とを用いて、近距離通信に失敗したことを表示させる。ここで表示装置５は、例えば、ＢＬＥマークセグメントＰ１０を点灯させ、アンテナマークセグメントＰ１１を点滅させ、受信レベルセグメントＰ１２を消灯させる。
【００８４】
ステップＳ３０４：プロセッサ２０は、近距離通信初期設定処理を実行する。
計時部２０５は、計時データレジスタ９０２に受信した近距離時刻信号に基づく計時データをセットする。
通信制御部２０７は、受信チャネルレジスタ９０３に時刻種類にスマートフォンなどから受信した時刻であることを示す情報を設定する。また、通信制御部２０７は、レイヤレジスタ９０５にレイヤの値として０を設定する。通信制御部２０７は、連続受信失敗回数レジスタ９０６に記憶される連続受信失敗回数をリセットする。
【００８５】
また、表示制御部２０８は、表示装置５に、計時データレジスタ９０２に記憶されている計時データ、受信状態、バッテリ状態を示す情報を表示させる。ここ表示装置５の表示パネルＰの表示内容には、例えば、午前表示セグメントＰ１、及び午後表示セグメントＰ２による午前・午後の表示、時間表示セグメントＰ４、区切りセグメントＰ５、分表示セグメントＰ６、秒表示セグメントＰ７、月表示セグメントＰ１４、日表示セグメントＰ１５、及び曜日表示セグメントＰ１６による年月日時分秒曜日の表示、ＢＬＥマークセグメントＰ１０によるスマートフォンから時刻情報を取得したことの表示、受信レベルセグメントＰ１２による近距離通信電波の受信状況の表示、及び電圧データ入力部８０を介して取り込んだ電圧デテクタ６の検出値に基づいた電源状態の表示、などを含む。
【００８６】
なお、親機モードと子機モードとの２つのモードを切り替えて、親機モードにおいて長波受信とＢＬＥ受信とのいずれを用いて時刻情報を取得するかが自動で選択される場合、例えば、図６のステップＳ１０２の長波受信処理が失敗した場合に、ステップＳ１０３の親機モード近距離通信処理が実行されてよい。別の例では、図６のステップＳ１０３の親機モード近距離通信処理が失敗した場合に、ステップＳ１０２の長波受信処理が実行されてもよい。
【００８７】
図９は、本実施形態に係る子機モードにおける近距離受信処理の一例を示す図である。図９に示す処理は、図６に示したステップＳ１０４の子機モード近距離受信処理である。
【００８８】
ステップＳ４００：通信制御部２０７は、ＲＦ回路９を起動する。
ステップＳ４０１：通信制御部２０７は、ＲＦ回路９が近距離時刻信号を受信したか否かを判定する。通信制御部２０７が、ＲＦ回路９が近距離時刻信号を受信したと判定する場合（ステップＳ４０１；ＹＥＳ）、デコーダ５０から基準時刻情報Ｂを取得する。その後、プロセッサ２０はステップＳ４０２の処理を実行する。
一方、通信制御部２０７が、ＲＦ回路９が近距離時刻信号を受信していないと判定する場合（ステップＳ４０１；ＮＯ）、プロセッサ２０はステップＳ４０５の処理を実行する。
【００８９】
ステップＳ４０２：信号強度判定部２０１は、受信信号の強度が所定の閾値以上であるか否かを判定する。ここで信号強度判定部２０１は、ＲＦ回路９が動作を開始後に受信信号を初めて受信した場合に、ＲＦ回路９が受信した受信信号の強度を判定する。
【００９０】
信号強度判定部２０１は、信号強度取得部６０にＲＦ回路９が受信した受信信号の強度を取得させる。信号強度判定部２０１は、信号強度取得部６０が取得した受信信号の強度が所定の閾値以上であるか否かを判定する。ここで所定の閾値とは、例えば、−９０ｄＢｍである。
受信信号の強度を判定するための所定の閾値は、例えば、基準送信装置と子機である計時装置Ｃとの距離と、基準時刻信号の受信成功率との関係を実験により調べ、予め決められる。
【００９１】
信号強度判定部２０１が、受信信号の強度が所定の閾値以上であると判定する場合（ステップＳ４０２；ＹＥＳ）、プロセッサ２０は、ステップＳ４０３の処理を実行する。一方、信号強度判定部２０１が、受信信号の強度が所定の閾値以上でないと判定する場合（ステップＳ４０２；ＮＯ）、プロセッサ２０は、ステップＳ４０７の処理を実行する。
【００９２】
ステップＳ４０３：基準送信装置決定部２０２は、基準送信装置を決定する。ここで基準送信装置決定部２０２は、例えば、受信チャネルレジスタ９０３の受信チャネル指定データを設定することにより基準送信装置を決定する。
基準送信装置決定部２０２は、通信制御部２０７に基準時刻情報Ｂから送信チャネル情報を取得させる。基準送信装置決定部２０２は、通信制御部２０７に、取得した送信チャネル情報が示す送信チャネルを、受信チャネルレジスタ９０３の受信チャネル指定データに設定する。
【００９３】
基準送信装置決定部２０２は、通信制御部２０７に基準時刻情報Ｂからレイヤ情報を取得させる。基準送信装置決定部２０２は、通信制御部２０７には、レイヤレジスタ９０５にレイヤの値として、取得したレイヤ情報が示すレイヤの値に１を加えた値を設定する。
通信制御部２０７は、連続受信失敗回数レジスタ９０６に記憶される連続受信失敗回数をリセットする。
【００９４】
ステップＳ４０４：修正部２０４は、計時データを修正する。修正部２０４は、通信制御部２０７から基準時刻情報Ｂを取得する。修正部２０４は、取得した基準時刻情報Ｂに含まれる時刻情報に基づいて、計時データレジスタ９０２に記憶されている計時データを修正する。このように基準時刻情報Ｂは、計時データを修正するために用いられる。
【００９５】
また、ステップＳ４０４において、表示制御部２０８は、表示装置５に、計時データレジスタ９０２に記憶されている修正された計時データ、受信状態、バッテリ状態を示す情報を表示させる。ここ表示装置５の表示パネルＰの表示内容には、例えば、午前表示セグメントＰ１、及び午後表示セグメントＰ２による午前・午後の表示、時間表示セグメントＰ４、区切りセグメントＰ５、分表示セグメントＰ６、秒表示セグメントＰ７、月表示セグメントＰ１４、日表示セグメントＰ１５、及び曜日表示セグメントＰ１６による年月日時分秒曜日の表示、受信レベルセグメントＰ１２による近距離通信電波の受信状況の表示、及び電圧データ入力部８０を介して取り込んだ電圧デテクタ６の検出値に基づいた電源状態の表示、などを含む。
【００９６】
ステップＳ４０５：通信制御部２０７は、ＲＦ回路９を起動させてから所定時間が経過したか否かを判定する。ここで所定時間とは、例えば、２４時間である。ただし、所定時間は、計時システムＳのレイヤの数により変更されてよい。
通信制御部２０７は、ＲＦ回路９を起動させてから所定時間が経過したと判定する場合（ステップＳ４０５；ＹＥＳ）、ステップＳ４０６の処理を実行する。一方、通信制御部２０７は、ＲＦ回路９を起動させてから所定時間が経過していないと判定する場合（ステップＳ４０５；ＮＯ）、ステップＳ４０１の処理を繰り返す。
【００９７】
ステップＳ４０６：通信制御部２０７は、タイムアウト処理を実行する。通信制御部２０７は、表示制御部２０８に基準時刻信号の受信に失敗したことを示す信号を供給する。
表示制御部２０８は、通信制御部２０７が供給する信号に基づいて、アンテナマークセグメントＰ１１と受信レベルセグメントＰ１２とを用いて、基準時刻信号の受信に失敗したことを表示装置５に表示させる。ここで表示装置５は、例えば、アンテナマークセグメントＰ１１を点滅させ、受信レベルセグメントＰ１２を消灯させる。ユーザは、計時装置Ｃが基準時刻信号の受信に失敗したことに応じて、計時装置Ｃの位置を変えて設置し直してもよい。
【００９８】
ステップＳ４０７：信号強度判定部２０１は、通信制御部２０７にデコーダ５０から取得した基準時刻情報Ｂを破棄させる。
【００９９】
ステップＳ４０８：通信制御部２０７は、表示制御部２０８に、受信信号の強度が所定の閾値未満であることを表示させる。通信制御部２０７は、表示制御部２０８に受信信号の強度が所定の閾値未満であることを示す信号を供給する。
【０１００】
表示制御部２０８は、通信制御部２０７が供給する信号に基づいて、アンテナマークセグメントＰ１１と受信レベルセグメントＰ１２とを用いて、受信信号の強度が所定の閾値未満であることを表示装置５に表示させる。ここで表示装置５は、例えば、アンテナマークセグメントＰ１１を点灯させ、受信レベルセグメントＰ１２のアンテナマークを１本だけ点灯させる。ここで表示装置５は、受信レベルセグメントＰ１２のアンテナマークを１本だけ点滅させてもよい。
このように、表示装置５は、信号強度判定部２０１が受信信号の強度が所定値未満であると判定する場合、受信信号の強度が所定値未満であることを表示する。
【０１０１】
（通常時の動作）
通常の動作時において、制御部１１の計時データ取得部３０は、水晶振動子１０の発振信号を用いて一定時間（例えば、５０ｍｓ）を計時する毎に、計時時刻を更新するための計時割込信号をプロセッサ２０に供給する。この計時信号に応答して、プロセッサ２０は、図１０に示す処理を開始する。
図１０は、本実施形態に係る通常時の計時処理の一例を示す図である。
【０１０２】
ステップＳ５００：計時部２０５は、計時データレジスタ９０２に記憶されている計時データを更新する。
ステップＳ５０１：計時部２０５は、表示制御部２０８に表示装置５の表示情報の更新などの処理を実行させる。
【０１０３】
また、計時部２０５は、所定時間（例えば、５００ｍｓ）の経過を計時する毎に、プロセッサ２０に、基準時刻信号を受信するための計時割込信号を送る。
この計時割込信号に応答して、プロセッサ２０は、図１１に示す処理を開始する。
【０１０４】
図１１は、本実施形態に係る子機の通常時の時刻修正のための処理の一例を示す図である。
ステップＳ６００：通信制御部２０７は、リルート条件が満たされたか否かを判定する。ここでリルート条件とは、例えば、基準時刻信号を基準送信装置から所定の時間以上受信できないことである。ここで所定の時間とは、例えば、２４時間である。基準送信装置から所定の時間以上受信できない場合とは、例えば、基準送信装置に故障や電池切れなどの障害が発生した場合である。
なお、リルート条件は、基準時刻信号を基準送信装置から受信することを、所定の回数以上失敗することであってもよい。ここで所定の回数とは、例えば、８回である。
【０１０５】
ステップＳ６０１：通信制御部２０７は、現在時刻が基準時刻信号の受信タイミングであるか否かを判定する。
ここで、通信制御部２０７は、レイヤレジスタ９０５に記憶される自装置のレイヤの値と、受信チャネルレジスタ９０３に記憶される受信チャネルとに基づいて、上述した式（１）から受信タイミングを算出する。受信タイミングとは、基準送信装置の送信タイミングである。
【０１０６】
通信制御部２０７は、計時データレジスタ９０２に記憶される計時データを取得する。通信制御部２０７は、算出した受信タイミングと、取得した計時データが示す現在時刻とを比較し、現在時刻が受信タイミングの所定の時間だけ前であるか否かを判定する。ここで所定の時間とは、例えば、２秒である。
【０１０７】
通信制御部２０７は、現在時刻が基準時刻信号の受信タイミングであると判定する場合（ステップＳ６０１；ＹＥＳ）、ステップＳ６０２の処理を実行する。一方、通信制御部２０７は、現在時刻が基準時刻信号の受信タイミングでないと判定する場合（ステップＳ６０１；ＮＯ）、ステップＳ６０５の処理を実行する。
【０１０８】
ステップＳ６０２：通信制御部２０７は、ＲＦ回路９に基準時刻信号を受信させる。ここで通信制御部２０７は、例えば最大４秒間、ＲＦ回路９に基準時刻信号を受信させる。
通信制御部２０７は、デコーダ５０から基準時刻情報Ｂを取得する。
【０１０９】
ステップＳ６０３：信号判定部２０３は、ＲＦ回路９が受信した基準時刻信号である受信信号を、計時データの修正に用いるか否か判定する。信号判定部２０３は、例えば、ＲＦ回路９が受信した基準時刻信号が、基準送信装置決定部２０２が決定した基準送信装置から受信した受信信号であるかに基づいて判定する。
【０１１０】
信号判定部２０３は、通信制御部２０７から基準時刻情報Ｂを取得する。信号判定部２０３は、取得した基準時刻情報Ｂに含まれる送信チャネル情報が示す送信チャネルと、受信チャネルレジスタ９０３に記憶される受信チャネル指定データが示す受信チャネルとを比較する。
【０１１１】
信号判定部２０３は、基準時刻情報Ｂに含まれる送信チャネル情報が示す送信チャネルと、受信チャネル指定データが示す受信チャネルとが一致する場合、ＲＦ回路９が受信した基準時刻信号が、基準送信装置決定部２０２が決定した基準送信装置から受信した受信信号であると判定する。この場合、信号判定部２０３は、受信信号を、計時データの修正に用いると判定する。
【０１１２】
一方、信号判定部２０３は、基準時刻情報Ｂに含まれる送信チャネル情報が示す送信チャネルと、受信チャネル指定データが示す受信チャネルとが一致しない場合、ＲＦ回路９が受信した基準時刻信号が、基準送信装置決定部２０２が決定した基準送信装置から受信した受信信号でないと判定する。この場合、信号判定部２０３は、受信信号を、計時データの修正に用いないと判定する。
【０１１３】
信号判定部２０３は、ＲＦ回路９が受信した基準時刻信号である受信信号を、計時データの修正に用いると判定する場合（ステップＳ６０３；ＹＥＳ）、修正部２０４に基準時刻情報Ｂを供給する。その後、プロセッサ２０はステップＳ６０４の処理を実行する。
一方、信号判定部２０３が、ＲＦ回路９が受信した基準時刻信号である受信信号を、計時データの修正に用いないと判定する場合（ステップＳ６０３；ＮＯ）、プロセッサ２０はステップＳ６０９の処理を実行する。
【０１１４】
このように、信号判定部２０３は、基準送信装置決定部２０２が基準送信装置を決定した後には、基準送信装置決定部２０２が決定した基準送信装置からの受信信号を計時データの修正に用いると判定する。一方、信号判定部２０３は、基準送信装置決定部２０２が基準送信装置を決定した後には、基準送信装置決定部２０２が決定した基準送信装置以外の送信装置である計時装置Ｃからの受信信号を計時データの修正に用いないと判定する。
【０１１５】
ステップＳ６０４：修正部２０４は、信号判定部２０３が供給する基準時刻情報Ｂに基づいて、計時データレジスタ９０２に記憶される計時データを更新する。
【０１１６】
ステップＳ６０５：通信制御部２０７は、現在時刻が基準時刻信号の送信タイミングであるか否かを判定する。
ここで、通信制御部２０７は、レイヤレジスタ９０５に記憶される自装置のレイヤの値と、送信チャネルレジスタ９０４に記憶される送信チャネルとに基づいて、上述した式（１）から送信タイミングを算出する。通信制御部２０７は、計時データレジスタ９０２に記憶される計時データを取得する。通信制御部２０７は、算出した送信タイミングと、取得した計時データが示す現在時刻とを比較し、現在時刻が基準時刻信号の送信タイミングかである否かを判定する。
【０１１７】
通信制御部２０７は、現在時刻が基準時刻信号の送信タイミングであると判定する場合（ステップＳ６０５；ＹＥＳ）、ステップＳ６０６の処理を実行する。一方、通信制御部２０７が、現在時刻が基準時刻信号の送信タイミングでないと判定する場合（ステップＳ６０５；ＮＯ）、プロセッサ２０は処理を終了する。
【０１１８】
ステップＳ６０６：計時部２０５は、基準時刻情報Ｂを生成する。計時部２０５は、レイヤレジスタ９０５に記憶されるレイヤ情報が示すレイヤの値、送信チャネルレジスタ９０４に記憶される送信チャネル指定データが示す送信チャネル、計時データレジスタ９０２に記憶される計時データが示す時刻情報、及び受信チャネルレジスタ９０３に記憶される時刻情報の情報源を示す情報などに基づいて、基準時刻情報Ｂを生成する。
計時部２０５は、生成した基準時刻情報Ｂを通信制御部２０７に供給する。
【０１１９】
ステップＳ６０７：通信制御部２０７は、ＲＦ回路９に基準時刻信号を送信させる。ここで通信制御部２０７は、計時部２０５が供給する基準時刻情報Ｂを、エンコーダ４０にエンコードさせて、ＲＦ回路９に供給する。
【０１２０】
ステップＳ６０８：プロセッサ２０は、リルート処理を実行する。リルート処理とは、基準送信装置との接続が途絶えた場合に、新たに受信信号を受信し、この受信信号を送信した送信装置を基準送信装置であると新たに決定する処理である。リルート処理の具体例については、図１２を参照し説明する。
プロセッサ２０は、リルート処理を実行すると、ステップＳ６０１の処理を実行する。
【０１２１】
ステップＳ６０９：信号判定部２０３は、通信制御部２０７に、デコーダ５０から取得した基準時刻情報Ｂを破棄させる。
【０１２２】
図１２は、本実施形態に係るリルート処理の一例を示す図である。図１２に示すリルート処理は、図１１のステップＳ６００においてリルート条件が満たされたと判定される場合に実行される。
なお、ステップＳ７０１、ステップＳ７０２、ステップＳ７０３、ステップＳ７０４、ステップＳ７０５、ステップＳ７０６、ステップＳ７０７、及びステップＳ７０８の各処理は、図９におけるステップＳ４０１、ステップＳ４０２、ステップＳ４０３、ステップＳ４０４、ステップＳ４０５、ステップＳ４０６、ステップＳ４０７、及びステップＳ４０８の各処理と同様であるため、異なる部分を除き説明を省略する。
【０１２３】
ステップＳ７００：通信制御部２０７は、リセット処理を実行する。ここでリセット処理とは、受信チャネルレジスタ９０３に記憶されている受信チャネル指定データと、レイヤレジスタ９０５に記憶されているレイヤデータとを削除することである。なお、通信制御部２０７は、計時データの分の値が、例えば１０分である場合にリセット処理を実行する。
その後、プロセッサ２０は、ステップＳ７０１〜ステップＳ７０８の各処理により、他の基準送信装置から受信信号を受信し、計時データを修正する。
【０１２４】
ただし、ステップＳ７０５において、ステップＳ７０６のタイムアウト処理が実行されるまでの所定の時間は、図９におけるステップＳ４０５における所定の時間とは異なる。ステップＳ７０５において、ステップＳ７０６のタイムアウト処理が実行されるまでの所定の時間とは、例えば、１０分間である。つまり、図１２のリルート処理は、計時データの分の値が１０分であるときから、２０分である間において実行される。
【０１２５】
図１２のリルート処理は、図１１のステップＳ６００においてリルート条件が満たされた場合に実行される。したがって、ステップＳ７０３によれば、基準送信装置決定部２０２は、基準送信装置との接続が途絶えた場合、受信信号の強度が所定の閾値以上であると信号強度判定部２０１が判定した送信装置を、基準送信装置であると新たに決定する。
【０１２６】
なお、スイッチ群８に設けられたＲＥＣＶスイッチが操作される場合、プロセッサ２０は、手動受信処理を実行する。手動受信処理は、図１２に示すリルート処理と同様である。したがって、手動受信処理においては、図１２のステップＳ７０２と同様に、信号強度判定部２０１は、ＲＦ回路９が受信信号を手動受信により受信した場合に、ＲＦ回路９が受信した受信信号の強度を判定する。
【０１２７】
（表示制御動作）
プロセッサ２０は、例えば、５００ｍｓ毎の周期的な割込処理により、図１３に示す
表示制御処理を実行する。
図１３は、本実施形態に係る表示制御処理の一例を示す図である。
【０１２８】
ステップＳ８００：計時部２０５は、表示制御部２０８を介して表示装置５に現在時刻を表示させる。ここで計時部２０５は、計時データレジスタ９０２に記憶される計時データを表示制御部２０８に供給する。
【０１２９】
ステップＳ８０１：通信制御部２０７は、過去２４時間以内に基準時刻情報を受信したか否かを判定する。ここで通信制御部２０７は、連続受信失敗回数レジスタ９０６に記憶される、上位レイヤの計時装置Ｃからの基準時刻情報Ｂを連続して受信できなかった回数に基づいて判定する。
通信制御部２０７は、過去２４時間以内に基準時刻情報を受信したと判定する場合（ステップＳ８０１；ＹＥＳ）、ステップＳ８０２の処理を実行する。一方、通信制御部２０７が、過去２４時間以内に基準時刻情報を受信していないと判定する場合（ステップＳ８０１；ＮＯ）、プロセッサ２０は表示制御処理を終了する。
【０１３０】
ステップＳ８０２：通信制御部２０７は、表示制御部２０８を介して表示装置５にＴＬマークセグメントＰ３を点灯させる。
【０１３１】
以上に説明したように、本実施形態に係る計時装置Ｃは、受信部（通信制御部２０７）と、信号強度判定部２０１と、基準送信装置決定部２０２と、信号判定部２０３と、修正部２０４と、計時部２０５とを備える。
受信部（通信制御部２０７）は、計時データを修正するための基準時刻情報Ｂを含み送信装置（上位レイヤの計時装置Ｃ）が送信する基準時刻信号を受信信号として受信する。
信号強度判定部２０１は、受信部（通信制御部２０７）が受信した受信信号の強度を判定する。
基準送信装置決定部２０２は、受信信号の強度が所定の閾値以上であると信号強度判定部２０１が判定した送信装置（上位レイヤの計時装置Ｃ）を基準送信装置であると決定する。
信号判定部２０３は、基準送信装置決定部２０２が基準送信装置を決定した後には、基準送信装置決定部２０２が決定した基準送信装置からの受信信号を計時データの修正に用いると判定するとともに、基準送信装置決定部２０２が決定した基準送信装置以外の送信装置（上位レイヤの計時装置Ｃ）からの受信信号を計時データの修正に用いないと判定する。
修正部２０４は、信号判定部２０３の判定結果が示す受信信号に含まれる基準時刻情報Ｂに基づいて、計時データを修正する。
計時部２０５は、修正部２０４が修正した計時データに基づき計時を行う。
【０１３２】
この構成により、本実施形態に係る計時装置Ｃでは、受信信号の強度が所定の閾値以上である基準送信装置を決定した後には、この基準送信装置から計時データの修正に用いる受信信号を受信することができるため、時刻情報を安定して受信できる。
【０１３３】
また、信号強度判定部２０１は、受信部（通信制御部２０７）が動作を開始後に受信信号を初めて受信した場合に、受信部（通信制御部２０７）が受信した受信信号の強度を判定する。
この構成により、本実施形態に係る計時装置Ｃでは、受信信号を初めて受信した場合に受信信号の強度を判定できるため、受信信号を受信する度に受信信号の強度を判定する場合に比べて処理の負荷を軽くすることができる。
【０１３４】
また、基準送信装置決定部２０２は、基準送信装置との接続が途絶えた場合、受信信号の強度が所定の閾値以上であると信号強度判定部２０１が判定した送信装置（上位レイヤの計時装置Ｃ）を、基準送信装置であると新たに決定する。
この構成により、本実施形態に係る計時装置Ｃでは、基準送信装置との接続が途絶えた場合であっても、受信信号の強度が所定の閾値以上である送信装置（上位レイヤの計時装置Ｃ）から計時データの修正に用いる受信信号を受信することができるため、基準送信装置との接続が途絶えた場合であっても、時刻情報を安定して受信できる。
【０１３５】
また、信号強度判定部２０１は、受信部（通信制御部２０７）が受信信号を手動受信により受信した場合に、受信部（通信制御部２０７）が受信した受信信号の強度を判定する。
この構成により、本実施形態に係る計時装置Ｃでは、手動受信により新たな送信装置（上位レイヤの計時装置Ｃ）から受信信号を受信する場合であっても、受信信号の強度が所定の閾値以上である送信装置（上位レイヤの計時装置Ｃ）から計時データの修正に用いる受信信号を受信することができるため、手動受信により新たな送信装置（上位レイヤの計時装置Ｃ）から受信信号を受信する場合であっても、時刻情報を安定して受信できる。
【０１３６】
また、本実施形態に係る計時装置Ｃは、表示装置５をさらに備える。
表示装置５は、信号強度判定部２０１が受信信号の強度が所定値未満であると判定する場合、受信信号の強度が所定値未満であることを表示する。
この構成により、本実施形態に係る計時装置Ｃでは、受信信号の強度が所定値未満であることを表示できるため、ユーザが受信信号の強度が所定値未満であることを知ることができる。
【０１３７】
また、本実施形態に係る計時システムＳは、計時装置Ｃを複数備える。
この構成により、本実施形態に係る計時システムＳでは、各計時装置Ｃが時刻情報を安定して受信できるため、正確な時刻を維持することができる。
【０１３８】
なお、上記の実施形態においては、近距離無線通信としてＢＬＥを用いる場合について説明したが、近距離無線通信として、ＷｉＦｉ（Ｗｉｒｅｌｅｓｓ  Ｆｉｄｅｌｉｔｙ）、ＺｉｇＢｅｅ（登録商標）、ＥｎＯｃｅａｎ（登録商標）、特定小電力無線など他の無線通信方式が用いられてもよい。
【０１３９】
また、上記の実施形態においては、計時システムＳが「時計」システムについて説明したが、本発明は、時刻表示機能を備える所謂「時計」に限定されるものではなく、計時機能を備える装置・素子（ＩＣ（Ｉｎｔｅｇｒａｔｅｄ  Ｃｉｒｃｕｉｔ）やタグを含む）及びシステムに広く適用可能である。
【０１４０】
なお、上述した実施形態における計時装置Ｃの一部、例えば、制御部１１をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、計時装置Ｃに内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
また、上述した実施形態における計時装置Ｃの一部、または全部を、ＬＳＩ（Ｌａｒｇｅ  Ｓｃａｌｅ  Ｉｎｔｅｇｒａｔｉｏｎ）等の集積回路として実現してもよい。計時装置Ｃの各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【０１４１】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１４２】
Ｓ…計時システム、Ｃ、Ｃ１、Ｃ２、Ｃ３、Ｃ４、Ｃ５、Ｃ６…計時装置、１…長波受信回路、２…電源回路、２１…ＡＣ（交流）アダプタ接続プラグ、２２…バッテリ、３…コネクタ、４…主装置、５…表示装置、６…電圧デテクタ、７…レギュレータ、８…スイッチ群、９…ＲＦ回路、１０…水晶振動子、１１…制御部、２０…プロセッサ、２０１…信号強度判定部、２０２…基準送信装置決定部、２０３…信号判定部、２０４…修正部、２０５…計時部、２０６…親機子機モード制御部、２０７…通信制御部、２０８…表示制御部、３０…計時データ取得部、４０…エンコーダ、５０…デコーダ、６０…信号強度取得部、７０…キー入力部、８０…電圧データ入力部、９０…レジスタ群、９０１…親機子機モードレジスタ、９０２…計時データレジスタ、９０３…受信チャネルレジスタ、９０４…送信チャネルレジスタ、９０５…レイヤレジスタ、９０６…連続受信失敗回数レジスタ、Ｐ…表示パネル
【図１】
2019158733.tif 000004
【図２】
2019158733.tif 000005
【図３】
2019158733.tif 000006
【図４】
2019158733.tif 000007
【図５】
2019158733.tif 000008
【図６】
2019158733.tif 000009
【図７】
2019158733.tif 000010
【図８】
2019158733.tif 000011
【図９】
2019158733.tif 000012
【図１０】
2019158733.tif 000013
【図１１】
2019158733.tif 000014
【図１２】
2019158733.tif 000015
【図１３】
2019158733.tif 000016